(57)【要約】【課題】複数の表示装置を備えた表示システムにおいて、１つのリモートコントローラーによって複数の表示装置に対する遠隔操作を容易に実現する。【解決手段】複数表示モードにおいて、左プロジェクター用の遠隔操作に用いるキーｋ１〜ｋ５の位置と、そのキーを操作することで処理が行われる対象となる画像の位置が、いずれも左側であり、互いに対応している。複数表示モードにおいて、右プロジェクター用の遠隔操作に用いるキーｋ１１〜ｋ１５の位置と、そのキーを操作することで処理が行われる対象となる画像の位置は、いずれも右側であり、互いに対応している。このようにリモートコントローラー２０におけるキーの配置と遠隔操作の対象となる画像の位置関係に共通性があるから、ユーザーにとってはどのキーを押せばどの画像を制御できるかを直観的に知ることが可能となり、操作が容易となる。【選択図】図４
2018019252.tif 000002
【特許請求の範囲】
【請求項１】
自装置が単独で表示を行う第１の表示モードと、自装置が他の表示装置と協働して表示を行う第２の表示モードとのいずれかを指定するモード指定手段と、
前記第２の表示モードで自装置が表示する画像の位置に関する指定を行う位置指定手段と、
リモートコントローラーから送信される遠隔操作信号を受信する受信手段と、
前記受信手段によって受信された遠隔操作信号と前記モード指定手段及び前記位置指定手段による指定内容とに応じた処理を実行する実行手段と
を有する表示装置。
【請求項２】
自装置によって表示される画像と前記他の表示装置によって表示される画像との位置関係が、前記リモートコントローラーにおいて自装置を操作するための操作子と前記他の表示装置を操作するための操作子との位置関係に対応している請求項１に記載の表示装置。
【請求項３】
前記実行手段は、前記受信手段により特定の遠隔操作信号が受信された場合には、前記他の表示装置と同じ処理を行う請求項１又は２に記載の表示装置。
【請求項４】
前記実行手段は、
遠隔操作信号と前記第１の表示モードにおける処理とを対応付けた第１のテーブルと、遠隔操作信号と前記第２の表示モードにおける処理とを対応付けた第２のテーブルとを記憶しており、
前記第１の表示モードでは、前記第１のテーブルにおいて前記受信手段により受信された遠隔操作信号に対応付けられた処理を実行し、前記第２の表示モードでは、前記第２のテーブルにおいて前記受信手段により受信された遠隔操作信号に対応付けられた処理を実行する請求項１〜３のいずれか１項に記載の表示装置。
【請求項５】
前記第２の表示モードにおいて、自装置によって表示される画像の表示領域の面積が前記他の表示装置によって表示される画像の表示領域の面積より大きい場合に、前記リモートコントローラーにおいて自装置を操作するための操作子が前記他の表示装置を操作するための操作子より多く備わる請求項１〜４のいずれか１項に記載の表示装置。
【請求項６】
前記実行手段は、前記リモートコントローラーにおいて自装置を操作するための操作子を案内するための画像を表示する請求項１〜５のいずれか１項に記載の表示装置。
【請求項７】
表示装置が、単独で表示を行う第１の表示モードと、他の表示装置と協働して表示を行う第２の表示モードとのいずれかを指定するモード指定ステップと、
表示装置が、前記第２の表示モードにおいて表示する画像の位置に関する指定を行う位置指定ステップと、
表示装置が、リモートコントローラーから送信される遠隔操作信号を受信する受信ステップと、
表示装置が、前記受信ステップによって受信された遠隔操作信号と前記モード指定ステップ及び前記位置指定ステップによる指定内容とに応じた処理を実行する実行ステップと
を有する表示装置の制御方法。
【請求項８】
１の表示装置が単独で表示を行う第１の表示モードと、複数の表示装置が協働して表示を行う第２の表示モードとのいずれかを指定するモード指定手段と、
前記モード指定手段によって指定されたモードに応じた遠隔操作信号を前記表示装置に送信する送信手段と
を有するリモートコントローラー。
【請求項９】
前記第２の表示モードにおいて各々の前記表示装置によって表示される画像の表示領域の位置関係が、前記リモートコントローラーにおいて各々の前記表示装置を遠隔操作するための操作子の位置関係に対応している請求項８に記載のリモートコントローラー。
【請求項１０】
操作子及び前記第１の表示モードにおける遠隔操作信号を対応付けた第３のテーブルと、操作子及び前記第２の表示モードにおける遠隔操作信号を対応付けた第４のテーブルとを記憶する記憶手段を備え、
前記送信手段は、前記第１の表示モードでは、記憶された前記第３のテーブルにおいて、操作された操作子に対応する遠隔操作信号を送信し、前記第２の表示モードでは、記憶された前記第４のテーブルにおいて、操作された操作子に対応する遠隔操作信号を送信する請求項８又は９に記載のリモートコントローラー。
【請求項１１】
リモートコントローラーが、１の表示装置が単独で表示を行う第１の表示モードと、複数の表示装置が協働して表示を行う第２の表示モードとのいずれかを指定するモード指定ステップと、
リモートコントローラーが、前記モード指定ステップによって指定されたモードに応じた遠隔操作信号を前記表示装置に送信する送信ステップと
を有するリモートコントローラーの制御方法。
【発明の詳細な説明】
【技術分野】
【０００１】
本発明は、リモートコントローラーによる遠隔操作で表示装置を制御する技術に関する。
【背景技術】
【０００２】
ユーザーは、同一の空間に複数の機器を複数配置し、一つのリモートコントローラーを用いて、これらの複数の機器を操作する場合がある。例えば特許文献１に記載された仕組みでは、リモートコントローラーとしての携帯端末は、ユーザーによって入力された接続開始指示に基づいて被制御機器群に通知メッセージを送信した後、それらの被制御機器群から通知返答メッセージを受信する。被制御機器群に表示された機器識別情報を参照したユーザーが、携帯端末において操作対象とする機器であるテレビの機器識別情報を入力すると、携帯端末は、そのテレビへ接続メッセージを送信する。そして、携帯端末は、接続返答メッセージをテレビから受信してそのテレビとの接続を確立し、これにより遠隔操作が可能となる。
【先行技術文献】
【特許文献】
【０００３】
【特許文献１】特開２０１１−２５４２３８号公報
【発明の概要】
【発明が解決しようとする課題】
【０００４】
例えば、複数のプロジェクターの各々が、自装置に割り当てられた部分画像をスクリーン上の所定位置に投写して、当該スクリーン上において全体画像を表示する、いわゆるタイリング投写が行われる場合がある。この場合において、例えば各部分画像の明るさを見比べながらそれぞれ調整するといったように、ユーザーが１つのリモートコントローラーを用いてプロジェクターの各々に対して同時並行的に操作を行いたい場合がある。特許文献１に記載の技術では、ユーザーはリモートコントローラーである携帯端末と操作対象機器との接続を確立するための操作を事前に行うが、この接続の確立以後は、１つの機器に対してのみ遠隔操作が可能となり、同時並行的に複数の機器に対する遠隔操作はできない。
【０００５】
本発明は、上述した事情に鑑みてなされたもので、その目的の一つは、１つのリモートコントローラーによって複数の表示装置に対する遠隔操作を実現することにある。
【課題を解決するための手段】
【０００６】
上記目的を達成するために、本発明に係る表示装置は、自装置が単独で表示を行う第１の表示モードと、自装置が他の表示装置と協働して表示を行う第２の表示モードとのいずれかを指定するモード指定手段と、前記第２の表示モードで自装置が表示する画像の位置に関する指定を行う位置指定手段と、リモートコントローラーから送信される遠隔操作信号を受信する受信手段と、前記受信手段によって受信された遠隔操作信号と前記モード指定手段及び前記位置指定手段による指定内容とに応じた処理を実行する実行手段とを有する。このように、本発明に係る表示装置は、リモートコントローラーから受信した遠隔操作信号と、自装置が単独で表示を行う第１の表示モードと、自装置が他の表示装置と協働して表示を行う第２の表示モードとのいずれかの指定、及び、第２の表示モードにおいて自装置が表示する画像の位置に関する指定に応じた処理を実行する。このため、複数の表示装置を備えた表示システムにおいて、１つのリモートコントローラーによって複数の表示装置に対する遠隔操作が実現される。
【０００７】
自装置によって表示される画像と前記他の表示装置によって表示される画像との位置関係が、前記リモートコントローラーにおいて自装置を操作するための操作子と前記他の表示装置を操作するための操作子との位置関係に対応していてもよい。これらの位置関係が対応しているので、ユーザーにとってはどの操作子を操作すればどの画像を遠隔操作できるかを直観的に知ることが可能となる。
【０００８】
前記実行手段は、前記受信手段により特定の遠隔操作信号が受信された場合には、前記他の表示装置と同じ処理を行ってもよい。これにより、複数の表示装置に対して同じ処理を同時に指示することが可能となる。
【０００９】
前記実行手段は、遠隔操作信号と前記第１の表示モードにおける処理とを対応付けた第１のテーブルと、遠隔操作信号と前記第２の表示モードにおける処理とを対応付けた第２のテーブルとを記憶しており、前記第１の表示モードでは、前記第１のテーブルにおいて前記受信手段により受信された遠隔操作信号に対応付けられた処理を実行し、前記第２の表示モードでは、前記第２のテーブルにおいて前記受信手段により受信された遠隔操作信号に対応付けられた処理を実行するようにしてもよい。このように２つのテーブルを使い分けることでモードに応じた処理が実行される。
【００１０】
前記第２の表示モードにおいて、自装置によって表示される画像の表示領域の面積が前記他の表示装置によって表示される画像の表示領域の面積より大きい場合に、前記リモートコントローラーにおいて自装置を操作するための操作子が前記他の表示装置を操作するための操作子より多く備わるようにしてもよい。これにより、表示領域の大きい画像に対してより多くの種類の遠隔操作が可能となる。
【００１１】
前記実行手段は、前記リモートコントローラーにおいて自装置を操作するための操作子を案内するための画像を表示するようにしてもよい。これにより、ユーザーは、画像を表示する表示装置を遠隔操作するための操作子を視覚的に知ることが可能となる。
【００１２】
また、本発明に係るリモートコントローラーは、１の表示装置が単独で表示を行う第１の表示モードと、複数の表示装置が協働して表示を行う第２の表示モードとのいずれかを指定するモード指定手段と、前記モード指定手段によって指定されたモードに応じた遠隔操作信号を前記表示装置に送信する送信手段とを有する。これにより、１つのリモートコントローラーによって複数の表示装置に対する遠隔操作が実現される。
【００１３】
前記第２の表示モードにおいて各々の前記表示装置によって表示される画像の表示領域の位置関係が、前記リモートコントローラーにおいて各々の前記表示装置を遠隔操作するための操作子の位置関係に対応させてもよい。これらの位置関係が対応しているので、ユーザーにとってはどの操作子を操作すればどの画像を遠隔操作できるかを直観的に知ることが可能となる。
【００１４】
操作子及び前記第１の表示モードにおける遠隔操作信号を対応付けた第３のテーブルと、操作子及び前記第２の表示モードにおける遠隔操作信号を対応付けた第４のテーブルとを記憶する記憶手段を備え、前記送信手段は、前記第１の表示モードでは、記憶された前記第３のテーブルにおいて、操作された操作子に対応する遠隔操作信号を送信し、前記第２の表示モードでは、記憶された前記第４のテーブルにおいて、操作された操作子に対応する遠隔操作信号を送信するようにしてもよい。このように２つの表を使い分けることでモードに応じた処理が実行される。
【００１５】
なお、本発明は、表示装置又はリモートコントローラーのほか、表示装置又はリモートコントローラーの制御方法としても観念することが可能である。
【図面の簡単な説明】
【００１６】
【図１】本発明の第１実施形態に係るプロジェクターシステムの全体構成を示すブロック図。
【図２】同実施形態に係るプロジェクターのハードウェア構成を示す図。
【図３】同実施形態に係るプロジェクターが記憶するコードテーブルの一例を示す図。
【図４】同実施形態においてリモートコントローラーにおけるキーの配置と部分画像の投写領域との位置関係を示す図である。
【図５】同実施形態に係るプロジェクターの機能構成を示す図。
【図６】同実施形態に係るプロジェクターの動作を示すフローチャート。
【図７】同実施形態に係るプロジェクターの動作を示すフローチャート。
【図８】第２実施形態に係るリモートコントローラーのハードウェア構成を示す図。
【図９】同実施形態に係るリモートコントローラーが記憶する送信コードテーブルの一例を示す図。
【図１０】同実施形態に係るプロジェクターが記憶するコードテーブルの一例を示す図。
【図１１】同実施形態に係るリモートコントローラーの機能構成を示す図。
【図１２】同実施形態に係るリモートコントローラーの動作を示すフローチャート。
【図１３】同実施形態に係るプロジェクターの動作を示すフローチャート。
【発明を実施するための形態】
【００１７】
以下、本発明の実施の形態について図面を参照しつつ説明する。
［第１実施形態］
図１は、本発明の第１実施形態に係るプロジェクターシステム１の全体構成を示す図である。図１に示すように、プロジェクターシステム１は、表示装置としての複数のプロジェクター１０（１０Ａ，１０Ｂ）と、プロジェクター１０を遠隔操作するためのリモートコントローラー２０と、画像を表示するための画像信号をプロジェクター１０に供給する画像信号供給装置４０とを備えた表示システムである。
【００１８】
プロジェクター１０は、例えば壁掛け式又は天井吊り下げ式の短焦点型のプロジェクターであり、スクリーン３０に画像を投写（表示）する投写型の表示装置である。プロジェクター１０は、画像信号供給装置４０から供給される、例えばＲ（Red）、Ｇ（Green）、Ｂ（Blue）の三原色の各色成分に対応した画像信号に基づいて、カラーの画像を投写する。スクリーン３０は、ここでは反射型のスクリーンであり、プロジェクター１０により画像が投写される投写面に相当する。投写面は、スクリーン３０以外の物体、例えば壁などで代用されてもよい。プロジェクター１０は、画像信号供給装置４０と接続され、通信が行えるようになっている。例えば、プロジェクター１０は、ネットワークＮＷを介して画像信号供給装置４０と通信可能である。このとき、プロジェクター１０は、ネットワークＮＷに無線接続し、例えばＩＥＥＥ８０２．１１（Ｗｉ−Ｆｉ：登録商標）の規格に準拠した無線通信を行ってもよい。
【００１９】
プロジェクターシステム１では、プロジェクター１０Ａ，１０Ｂのいずれか一方が単独でスクリーン３０に画像を投写する場合と、プロジェクター１０Ａ，１０Ｂが協働してスクリーン３０に画像を並べて投写することによりこれらが一体となった画像を表示する、いわゆるタイリング投写を行う場合とがある。本実施形態におけるタイリング投写では、スクリーン３０における画像投写領域が、ユーザーから見て左右方向に２分割された投写領域３０−１，３０−２に分割されている。そして、プロジェクター１０Ａは左側の投写領域３０−１に、プロジェクター１０Ｂは右側の投写領域３０−２に、それぞれ部分画像を投写する。これら２つの部分画像により全体画像が構成される。
【００２０】
画像信号供給装置４０は、例えばパーソナルコンピューターやタブレットであり、スクリーン３０に画面を表示するための画像信号をプロジェクター１０に供給する。タイリング投写においては、画像信号供給装置４０からプロジェクター１０Ａ，１０Ｂに対してそれぞれ対応する部分画像を表す画像信号が供給されてもよいし、画像信号供給装置４０からプロジェクター１０Ａ，１０Ｂに全体画像を表す画像信号が供給され、プロジェクター１０Ａ，１０Ｂにおいて、対応する部分画像を表す画像信号に加工されてもよい。
【００２１】
プロジェクター１０Ａ，１０Ｂの各々は、リモートコントローラー２０による遠隔操作を受け付ける。この遠隔操作は、リモートコントローラー２０の図示せぬ発光部などの送信手段から遠隔操作信号を送信することにより行われる。リモートコントローラー２０は、ここでは赤外線通信により遠隔操作信号を送信するが、赤外線通信以外の方式の無線通信を用いてもよい。
【００２２】
なお、第１実施形態では、プロジェクターシステム１が２台のプロジェクター１０を含むが、プロジェクター１０は３台以上であってもよい。また、スクリーン３０における画像投写領域の分割の態様は図１の例に限らず、例えば上下に分割されていてもよい。
【００２３】
図２は、プロジェクター１０のハードウェア構成を示すブロック図である。図２に示すように、プロジェクター１０は、ＣＰＵ（Central Processing Unit）１１と、ＲＯＭ（Read Only Memory）１２と、ＲＡＭ（Random Access Memory）１３と、本体操作部１４と、信号受信部１５と、画像処理部１６と、投写部１７と、カメラ部１８と、通信部１９とを備える。ＣＰＵ１１は、ＲＯＭ１２に記憶されたプログラムを、ＲＡＭ１３に読み出して実行することにより、プロジェクター１０の各部を制御するプロセッサーである。本体操作部１４は、プロジェクター１０の電源のオン／オフのほか、後述するモード指定操作や位置指定操作等の、ユーザーが各種操作を行うための操作手段である。信号受信部１５は、例えば赤外光受光素子を備え、リモートコントローラー２０から遠隔操作信号を受信する。
【００２４】
画像処理部１６は、例えばＡＳＩＣ（Application Specific Integrated Circuit）等の画像処理回路を備え、プロジェクター１０が行う画像処理を司る。画像処理部１６は、ＣＰＵ１１の制御に従って、例えば、画像信号供給装置４０から供給される画像信号に対して、例えば色味調整やキーストーン補正（台形歪み補正）等の補正処理を行い、投写用の画像情報を生成する。補正処理は、カメラ部１８がスクリーン３０を撮像した画像に基づいて行われる。
【００２５】
投写部１７は、画像処理部１６による画像処理後の画像情報に基づいて、スクリーン３０に画像を投写（表示）する。投写部１７は、光源１７１と、液晶パネル１７２と、光学系１７３と、光源制御部１７４と、パネル駆動部１７５と、光学系駆動部１７６とを有する。光源１７１は、例えばＬＥＤ（Light Emitting Diode）や半導体ダイオードを含む固体光源で、液晶パネル１７２に光を射出する。液晶パネル１７２は、例えば透過型の液晶パネルで、光源１７１から入射した光を変調する光変調器である。液晶パネル１７２は、Ｒ、Ｇ、Ｂの三原色の各色に対応して設けられる。光学系１７３は、例えばレンズやレンズ調整用の駆動回路を備え、液晶パネル１７２により変調された光（画像光）を拡大して、スクリーン３０上に投写する。光源制御部１７４は、ＣＰＵ１１の制御に従って光源１７１を駆動する。パネル駆動部１７５は、ＣＰＵ１１から供給された画像情報に基づいて液晶パネル１７２を駆動する。光学系駆動部１７６は、ＣＰＵ１１の制御に従って光学系１７３の駆動回路を駆動する。なお、光変調器として、反射型の液晶パネルを採用してもよいし、デジタルマイクロミラーデバイス（ＤＭＤ）等を採用してもよい。また、光源１７１として、超高圧水銀ランプやメタルハライドランプ等の放電型ランプを採用してもよい。
【００２６】
カメラ部１８は、イメージセンサー（例えばＣＭＯＳセンサー又はＣＣＤセンサー）を有し、スクリーン３０を撮像する。通信部１９は、例えば無線通信回路及びアンテナを有し、ネットワークＮＷに接続して無線通信を行う。
【００２７】
ＲＯＭ１２は、リモートコントローラー２０から送信されてくる遠隔操作信号の意味をＣＰＵ１１が解釈するために、図３に示すようなコードテーブルＣＴ１，ＣＴ２を記憶している。ＣＰＵ１１は、リモートコントローラー２０から送信されてくる遠隔操作信号に含まれる操作コードを抽出し、コードテーブルＣＴ１，ＣＴ２においてその操作コードに対応する処理を特定し、特定した処理を実行する。このとき、ユーザーが１のプロジェクター１０を遠隔操作して単独で表示を行わせる単独表示モード（本発明に係る第１の表示モード）と、ユーザーが複数のプロジェクター１０を遠隔操作して協働して表示を行わせる複数表示モード（本発明に係る第２の表示モード）とで、ＣＰＵ１１が参照するコードテーブルが異なる。
【００２８】
単独表示モードにおいては、図３に示す単独表示モード用コードテーブルＣＴ１（本発明に係る第１のテーブル）がＣＰＵ１１により参照される。図３の例では、単独表示モードにおいて、プロジェクター１０は、例えば操作コード「１」を含む遠隔操作信号を受信した場合にはキーストーン補正処理を行い、操作コード「２」を含む遠隔操作信号を受信した場合には色味調整処理を行い、操作コード「３」を含む遠隔操作信号を受信した場合にはソースサーチ処理を行い、操作コード「４」を含む遠隔操作信号を受信した場合には投写画像上の選択肢に重畳表示されているカーソルの位置をアップさせる処理を行い、操作コード「５」を含む遠隔操作信号を受信した場合には投写画像上の選択肢に重畳表示されているカーソルの位置をダウンさせる処理を行う。このように、単独表示モード用コードテーブルＣＴ１（本発明に係る第１のテーブル）には、遠隔操作信号と、単独表示モード（本発明に係る第１の表示モード）における処理とが対応付けられている。
【００２９】
一方、複数表示モードにおいては、図３に示す複数表示モード用コードテーブルＣＴ２（本発明に係る第２のテーブル）がＣＰＵ１１により参照される。図３の例では、複数表示モードにおいて、例えば操作コード「１」を含む遠隔操作信号を、スクリーン３０に向って左側の投写領域に画像を表示しているプロジェクター（左プロジェクターという）が受信した場合には左プロジェクターについてキーストーン補正処理を行い、操作コード「２」を含む遠隔操作信号を受信した場合には左プロジェクターについて色味調整処理を行い、操作コード「３」を含む遠隔操作信号を受信した場合には左プロジェクターについてカーソルの位置をアップさせる処理を行い、操作コード「４」を含む遠隔操作信号を受信した場合には左プロジェクターについてカーソルの位置をダウンさせる処理を行う。
【００３０】
また、図３の例では、複数表示モードにおいて、例えば操作コード「１１」を含む遠隔操作信号を、スクリーン３０に向って右側の投写領域に画像を表示しているプロジェクター（右プロジェクターという）が受信した場合には右プロジェクターについてキーストーン補正処理を行い、操作コード「１２」を含む遠隔操作信号を受信した場合には右プロジェクターについて色味調整処理を行い、操作コード「１３」を含む遠隔操作信号を受信した場合には右プロジェクターについてカーソルの位置をアップさせる処理を行い、操作コード「１４」を含む遠隔操作信号を受信した場合には右プロジェクターについてカーソルの位置をダウンさせる処理を行う。このように、複数表示モード用コードテーブルＣＴ２（本発明に係る第２のテーブル）には、遠隔操作信号と、複数表示モード（本発明に係る第２の表示モード）における処理とが対応付けられている。
【００３１】
なお、複数表示モードにおいて、操作コード「６」〜「１０」は、例えば左プロジェクターと右プロジェクターとで共通する処理に対応付けられている。複数表示モードにおいて、例えば操作コード「６」を含む遠隔操作信号を、左プロジェクター及び右プロジェクターが受信した場合には、左プロジェクター及び右プロジェクターは同じ処理を行う。このような左プロジェクターと右プロジェクターとで共通するキーがあってもよいし、なくてもよい。
【００３２】
ここで、図４は、リモートコントローラー２０における操作子であるキーの配置と、各プロジェクター１０Ａ，１０Ｂによって投写される部分画像の投写領域との位置関係を示す図である。リモートコントローラー２０においては、例えば計１５のキーｋ１〜ｋ１５が５行３列で配置されている。図４においてキーｋ１〜ｋ１５に表記されているカッコ内の数字は、そのキーを操作したときに送信される遠隔操作信号に含まれる操作コード「１」〜「１５」を意味している。
【００３３】
複数表示モードにおいて、左プロジェクター用の遠隔操作に用いるキーｋ１〜ｋ５は、ユーザーＵがリモートコントローラー２０に正対するとき、そのリモートコントローラー２０におけるキー配置領域の左側の部分に配置されている。この場合、左プロジェクターの画像の投写領域も左側であるから、ユーザーＵから見ると、左プロジェクターの遠隔操作に用いるキーｋ１〜ｋ５の位置と、そのキーを操作することで処理が行われる対象となる画像の位置は、いずれも左側であり、互いに対応していると言える。また、複数表示モードにおいて、右プロジェクターの遠隔操作に用いるキーｋ１１〜ｋ１５は、ユーザーＵがリモートコントローラー２０に正対するとき、そのリモートコントローラー２０のキー配置領域の右側の部分に配置されている。この場合、右プロジェクターの画像の投写領域も右側であるから、ユーザーＵから見ると、右プロジェクター用の遠隔操作に用いるキーｋ１１〜ｋ１５の位置と、そのキーを操作することで処理が行われる対象となる画像の位置は、いずれも右側であり、互いに対応していると言える。
【００３４】
このようにリモートコントローラー２０における操作子の配置と遠隔操作の対象となる部分画像の投写領域との位置関係に共通性があるから、ユーザーＵにとってはどのキーを操作すればどちらの画像を遠隔操作できるかを直観的に知ることが可能となり、操作が容易となる。
【００３５】
図５は、プロジェクター１０の機能構成を示すブロック図である。図５に示すように、プロジェクター１０は、モード指定手段１１０と、位置指定手段１２０と、受信手段１３０と、実行手段１４０とに相当する機能を実現する。
【００３６】
モード指定手段１１０は、主にＣＰＵ１１、ＲＯＭ１２、ＲＡＭ１３及び本体操作部１４によって実現され、単独表示モードと複数表示モードとのいずれかを指定する。なお、自プロジェクターとは、プロジェクター１０の各構成要素（ＣＰＵ１１、ＲＯＭ１２、ＲＡＭ１３、本体操作部１４、信号受信部１５、画像処理部１６、投写部１７、カメラ部１８、通信部１９、モード指定手段１１０、位置指定手段１２０、受信手段１３０、実行手段１４０）から見て、自身を備えているプロジェクター１０のことである。例えばプロジェクター１０ＡのＣＰＵ１１にとって、自プロジェクターとはプロジェクター１０Ａであり、他のプロジェクターとはプロジェクター１０Ｂである。
【００３７】
位置指定手段１２０は、主にＣＰＵ１１、ＲＯＭ１２、ＲＡＭ１３及び本体操作部１４によって実現され、複数表示モードで自プロジェクターが表示する画像の位置に関する指定を行う。この画像位置の指定により、前述したように、自プロジェクターによって表示される画像と他のプロジェクターによって表示される画像との位置関係が、リモートコントローラー２０において自プロジェクターを操作するためのキーと他のプロジェクターを操作するためのキーとの位置関係に対応することになる。
【００３８】
受信手段１３０は、主に信号受信部１５によって実現され、リモートコントローラー２０から送信される遠隔操作信号を受信する。
【００３９】
実行手段１４０は、主にＣＰＵ１１、ＲＯＭ１２及びＲＡＭ１３によって実現され、モード指定手段１１０及び位置指定手段１２０による指定内容と受信手段１３０によって受信された遠隔操作信号とに応じた処理を実行する。より具体的には、実行手段１４０は、単独表示モード用コードテーブルＣＴ１（第１のテーブル）と、複数表示モード用コードテーブルＣＴ２（第２のテーブル）とを記憶する記憶手段１４１（ＲＯＭ１２）を備えている。実行手段１４０は、単独表示モードでは、単独表示モード用コードテーブルＣＴ１において受信手段１３０により受信された遠隔操作信号に対応付けられた処理を実行し、複数表示モードでは、複数表示モード用コードテーブルＣＴ２において受信手段１３０により受信された遠隔操作信号に対応付けられた処理を実行する。
【００４０】
図６，７は、第１実施形態に係るプロジェクター１０の動作を示すフローチャートである。図６に示す処理は遠隔操作の前に行われる処理である。図６において、まず、プロジェクター１０のＣＰＵ１１は、単独表示モードと複数表示モードとのいずれかを指定する（ステップＳ１１）。この指定は、例えばユーザーがプロジェクター１０の本体操作部１４を用いていずれかのモードを選択操作すると、その操作に従ってＣＰＵ１１が選択されたモードの識別子をＲＡＭ１３に記憶することにより行われる。
【００４１】
次に、ＣＰＵ１１は、指定されたモードが単独表示モードであるか複数表示モードであるかを判断する（ステップＳ１２）。ここで、単独表示モードであれば（ステップＳ１２；単独表示モード）、図６の処理は終了する。
【００４２】
一方、複数表示モードであれば（ステップＳ１２；複数表示モード）、ＣＰＵ１１は、自プロジェクターが表示する画像の位置に関する指定を行う（ステップＳ１３）。この指定は、例えばユーザーがプロジェクター１０の本体操作部１４を用いて「左」「右」のいずれかを選択操作すると、その操作に従ってＣＰＵ１１が選択された「左」又は「右」を表す識別子をＲＡＭ１３に記憶することにより行われる。図１の例で説明すると、ユーザーはスクリーン３０に向って左側の投写領域３０−１に画像を表示するプロジェクター１０Ａについては「左」という位置を指定し、スクリーン３０に向って右側の投写領域３０−２に画像を表示するプロジェクター１０Ｂについては「右」という位置を指定する。これにより、図６の処理は終了する。
【００４３】
次に、図７を用いて、プロジェクター１０がユーザーの遠隔操作に応じた処理を行うときの動作について説明する。プロジェクター１０のＣＰＵ１１は、信号受信部１５を介して、リモートコントローラー２０からの遠隔操作信号を受信したか否かを判断する（ステップＳ２１）。遠隔操作信号を受信した場合（ステップＳ２１；ＹＥＳ）、ＣＰＵ１１は、ＲＡＭ１３に記憶されているモードの識別子に基づいて、参照するコードテーブルを特定する（ステップＳ２２）。より具体的には、ＣＰＵ１１は、ＲＡＭ１３に記憶されているモードの識別子が単独表示モードを意味する場合には、ＲＯＭ１２の単独表示モード用コードテーブルＣＴ１を参照すべきと判断するし、ＲＡＭ１３に記憶されているモードの識別子が複数表示モードを意味する場合には、ＲＯＭ１２の複数表示モード用コードテーブルＣＴ２を参照すべきと判断する。
【００４４】
次に、ＣＰＵ１１は、特定したコードテーブルにおいて、受信した遠隔操作信号に含まれるコードに対応する処理を特定する（ステップＳ２３）。ＣＰＵ１１は、例えば単独表示モードにおいて操作コード「１」を含む遠隔操作信号を受信した場合には、単独表示モード用コードテーブルＣＴ１において操作コード「１」に対応するキーストーン補正処理を特定する。一方、例えば複数表示モードにおいて操作コード「１」を含む遠隔操作信号を受信した場合、ＣＰＵ１１は、複数表示モード用コードテーブルＣＴ２において操作コード「１」に対応する、左プロジェクターについてのキーストーン補正処理を特定する。
【００４５】
次に、ＣＰＵ１１は、特定した処理が自プロジェクター１０に対する処理であるか否かを判断する（ステップＳ２４）。例えば複数表示モードにおいてＲＡＭ１３に「右」を表す識別子が記憶されている場合に、操作コード「１」を含む遠隔操作信号（左プロジェクターのキーストーン補正）を受信した場合には、自プロジェクターの位置（ここでは右）と遠隔操作の対象となる画像の表示位置（ここでは左）が異なるから（ステップＳ２４；ＮＯ）、ＣＰＵ１１は、処理を行わない。一方、例えば複数表示モードにおいてＲＡＭ１３に「左」を表す識別子が記憶されている場合に、操作コード「１」を含む遠隔操作信号（左プロジェクターのキーストーン補正）を受信した場合には、自プロジェクターの位置（ここでは左）と遠隔操作の対象となる画像の表示位置（ここでは左）が一致するから（ステップＳ２４；ＹＥＳ）、ＣＰＵ１１は、複数表示モード用コードテーブルＣＴ２において操作コード「１」に対応する、左プロジェクターについてのキーストーン補正処理を実行する（ステップＳ２５）。
【００４６】
なお、単独表示モードにおいては、自プロジェクターの位置と遠隔操作の対象となる表示画像の位置との不一致は生じないから、自プロジェクターに対する処理と判断され（ステップＳ２４；ＹＥＳ）、ＣＰＵ１１は、単独表示モード用コードテーブルＣＴ１において、受信した操作コードに対応する処理を実行する（ステップＳ２５）。
【００４７】
以上説明した第１実施形態によれば、複数表示モードにおいて、左プロジェクターに対する遠隔操作に用いるキーｋ１〜ｋ５の位置と、そのキーを操作することで処理が行われる対象となる画像の位置が、いずれも左側であり、互いに対応している。また、複数表示モードにおいて、右プロジェクターに対する遠隔操作に用いるキーｋ１１〜ｋ１５の位置と、そのキーを操作することで処理が行われる対象となる画像の位置は、いずれも右側であり、互いに対応している。このようにリモートコントローラー２０におけるキーの配置と遠隔操作の対象となる画像の位置関係に共通性があるから、ユーザーにとってはどのキーを押せばどの画像を制御できるかを直観的に知ることが可能となり、操作が容易となる。また、２つの画像の色味を同時に合わせるなど、ユーザーは１つのリモートコントローラーを用いてプロジェクターの各々に対して同時並行的に操作を行うことができる。
【００４８】
［第２実施形態］
次に、本発明の第２実施形態を説明する。前述した第１実施形態ではプロジェクター１０がモードに応じて異なるコードテーブルを参照していたが、第２実施形態では、プロジェクター１０はモードの別の無い１つのコードテーブルを記憶しており、リモートコントローラー２０がモードに応じて異なるコードを含む遠隔操作信号をプロジェクター１０に送信する。この点で両実施形態は異なっており、以下その相違部分を中心に説明する。
【００４９】
第２実施形態に係るプロジェクターシステム１の全体構成及びプロジェクター１０のハードウェア構成は、第１実施形態と同じである。第２実施形態では、プロジェクター１０の機能構成及び動作、並びに、リモートコントローラー２０の機能構成及び動作が、第１実施形態と特に異なっている。
【００５０】
図８は、第２実施形態に係るリモートコントローラー２０のハードウェア構成を示すブロック図である。図８に示すように、リモートコントローラー２０は、制御部２１と、リモコン操作部２２と、信号送信部２３とを備える。制御部２１は、リモートコントローラー２０の各部を制御するプロセッサーである。リモコン操作部２２は、第１実施形態で説明したような、プロジェクター１０を遠隔操作するための操作子である複数のキーｋ１〜ｋ１５を備えている。信号送信部２３は、例えば赤外光発光素子を備えており、ユーザーにより操作されたキーに対応する操作コードを含む遠隔操作信号をプロジェクター１０に送信する。
【００５１】
制御部２１は、図９に示すような送信コードテーブルＴＣＬ１，ＴＣＬ２を記憶している。制御部２１は、リモコン操作部２２のキーが操作されると、そのキーに対応する操作コードを含む遠隔操作信号を信号送信部２３から送信させる。制御部２１が参照する送信コードテーブルは、単独表示モード（本発明に係る第１の表示モード）と複数表示モード（本発明に係る第２の表示モード）とで異なる。
【００５２】
単独表示モードにおいては、図９に示す単独表示モード用送信コードテーブルＴＣＬ１（本発明に係る第３のテーブル）が制御部２１により参照される。図９の例では、単独表示モードにおいて、例えばキーｋ１（図４参照、ここではキーに付された符号をキーの識別子として用いている）が操作されると、操作コード「１」を含む遠隔操作信号が信号送信部２３から送信される。
【００５３】
また、複数表示モードにおいては、図９に示す複数表示モード用送信コードテーブルＴＣＬ２（本発明に係る第４のテーブル）が制御部２１により参照される。図９の例では、複数表示モードにおいて、例えばキーｋ１が操作されると、操作コード「２１」を含む遠隔操作信号が信号送信部２３から送信される。
【００５４】
一方、第２実施形態に係るプロジェクター１０のＲＯＭ１２には、リモートコントローラー２０から送信されてくる遠隔操作信号の意味をＣＰＵ１１が解釈するために、図１０に示すようなコードテーブルＣＴが記憶されている。ＣＰＵ１１は、リモートコントローラー２０から送信されてくる遠隔操作信号に含まれる操作コードを抽出し、コードテーブルＣＴにおいてその操作コードに対応する処理を特定し、特定した処理を実行する。図１０の例では、例えば操作コード「１」を含む遠隔操作信号をプロジェクター１０が受信した場合にはＣＰＵ１１はキーストーン補正処理を行い、操作コード「２」を含む遠隔操作信号を受信した場合にはＣＰＵ１１は色味調整処理を行う。また、例えば操作コード「２１」を含む遠隔操作信号を、スクリーン３０に向って左側の投写領域に画像を表示している左プロジェクターが受信した場合には、その左プロジェクターのＣＰＵ１１はキーストーン補正処理を行う。また、例えば操作コード「３１」を含む遠隔操作信号を、スクリーン３０に向って右側の投写領域に画像を表示している右プロジェクターが受信した場合には、その右プロジェクターのＣＰＵ１１はキーストーン補正処理を行う。
【００５５】
図１１は、第２実施形態に係るリモートコントローラー２０の機能構成を示すブロック図である。図１１に示すように、リモートコントローラー２０は、モード指定手段２１０と、送信手段２２０とに相当する機能を実現する。
【００５６】
モード指定手段２１０は、主に制御部２１及びリモコン操作部２２によって実現され、単独表示モードと複数表示モードとのいずれかを指定する。
【００５７】
送信手段２２０は、主に制御部２１及び信号送信部２３によって実現され、操作コードを含む遠隔操作信号を送信する。送信手段２２０は、送信コードテーブルＴＣＬ１，ＴＣＬ２を記憶する記憶手段２２１を備え、操作コードを含む遠隔操作信号を送信するときに、これらの表を単独表示モードと複数表示モードとで使い分ける。
【００５８】
図１２は、第２実施形態に係るリモートコントローラー２０の動作を示すフローチャートである。この図１２に示す処理の前に、リモートコントローラー２０においては単独表示モードと複数表示モードとのいずれかが指定されており、さらに、プロジェクター１０においては第１実施形態で説明した画像の位置指定が行われているものとする。リモートコントローラー２０におけるモードの指定は、例えばユーザーがリモコン操作部２２を用いていずれかのモードを選択操作すると、その操作に従って制御部２１が選択されたモードの識別子を記憶することにより行われる。
【００５９】
図１２において、リモートコントローラー２０の制御部２１は、リモコン操作部２２において操作があると（ステップＳ３１；ＹＥＳ）、その時点で指定されているモードが単独表示モードであるか複数表示モードであるかを判断し、参照する送信コードテーブルを特定する（ステップＳ３２）。ここで、単独表示モードであれば、単独表示モード用送信コードテーブルＴＣＬ１が制御部２１により特定され、複数表示モードであれば、複数表示モード用送信コードテーブルＴＣＬ２が制御部２１により特定される。
【００６０】
次に、制御部２１は、特定した送信コードテーブルにおいて、操作されたキーに対応する操作コードを特定する（ステップＳ３３）。制御部２１は、例えば単独表示モードにおいてキーｋ１が操作された場合には、単独表示モード用送信コードテーブルＴＣＬ１を参照して操作コード「１」を特定する。また、制御部２１は、複数表示モードにおいてキーｋ１が操作された場合には、複数表示モード用送信コードテーブルＴＣＬ２を参照して操作コード「２１」を特定する。そして、制御部２１は特定したコードを含む遠隔操作信号を信号送信部２３から送信する（ステップＳ３４）。
【００６１】
次に、図１３を用いて、プロジェクター１０がユーザーの遠隔操作に応じた処理を行うときの動作について説明する。この図１３に示す処理の前に、第１実施形態で説明した位置指定が行われているものとする。プロジェクター１０のＣＰＵ１１は、信号受信部１５を介して、リモートコントローラー２０からの遠隔操作信号を受信したか否かを判断する（ステップＳ４１）。遠隔操作信号を受信した場合（ステップＳ４１；ＹＥＳ）、ＣＰＵ１１は、コードテーブルＣＴにおいて、受信した遠隔操作信号に含まれるコードに対応する処理を特定する（ステップＳ４２）。ＣＰＵ１１は、例えば操作コード「１」を含む遠隔操作信号を受信した場合には、コードテーブルＣＴにおいて操作コード「１」に対応するキーストーン補正処理を特定する。また、ＣＰＵ１１は、例えば操作コード「２１」を含む遠隔操作信号を受信した場合には、コードテーブルＣＴにおいて操作コード「２１」に対応する、右プロジェクターのキーストーン補正処理を特定する。
【００６２】
次に、ＣＰＵ１１は、特定した処理が自プロジェクター１０に対する処理であるか否かを判断する（ステップＳ４３）。例えば位置指定によりＲＡＭ１３に「右」を表す識別子が記憶されている場合に、操作コード「２１」を含む遠隔操作信号（左プロジェクターに対するキーストーン補正）を受信した場合には、自プロジェクターの位置（ここでは右）と遠隔操作の対象となる画像の表示位置（ここでは左）が異なるから（ステップＳ４３；ＮＯ）、ＣＰＵ１１は、処理を行わない。一方、ＲＡＭ１３に「左」を表す識別子が記憶されている場合に、操作コード「２１」を含む遠隔操作信号（左プロジェクターに対するキーストーン補正）を受信した場合には、自プロジェクターの位置（ここでは左）と遠隔操作の対象となる画像の表示位置（ここでは左）が一致する（ステップＳ４３；ＹＥＳ）。よって、ＣＰＵ１１は、コードテーブルＣＴにおいて操作コード「１」に対応する、左プロジェクター（つまり自プロジェクター）のキーストーン補正処理を実行する（ステップＳ４４）。この場合、前掲した図４で説明したように、複数表示モードにおいて各々のプロジェクター１０によって表示される画像の表示領域の位置関係が、リモートコントローラー２０において各々のプロジェクター１０を遠隔操作するための操作子の位置関係に対応することになる。
【００６３】
なお、位置指定が行われていない場合は、単独表示モードであるから、自プロジェクターの位置と遠隔操作の対象となる表示画像の位置との不一致は生じない。よって、自プロジェクターに対する処理と判断され（ステップＳ４３；ＹＥＳ）、ＣＰＵ１１は、コードテーブルＣＴにおいて、受信した操作コードに対応する処理を実行する（ステップＳ４４）。
【００６４】
以上説明した第２実施形態によれば、第１実施形態と同様の効果を奏する。
【００６５】
［変形例］
本発明は、上述した実施形態と異なる形態で実施することが可能である。また、以下に示す変形例は、各々を適宜に組み合わせてもよい。
リモートコントローラー２０は、プロジェクター１０の操作専用のリモートコントローラーでなくてもよく、例えば、スマートフォン等の汎用装置によって実現されてもよい。
プロジェクター１０が行う無線通信の規格は特に問わず、例えば、Ｗｉ−Ｆｉ以外の無線ＬＡＮ（Local Area Network）の規格であってもよい。また、プロジェクター１０及び画像供給装置間の通信は、ネットワークＮＷを経由するものに限られず、例えば、ＵＳＢ（Universal Serial Bus）の規格や、Ｂｌｕｅｔｏｏｔｈ（登録商標）の規格に準拠した無線通信が行われてもよい。
【００６６】
本発明は、表示装置又はリモートコントローラーのほか、表示装置又はリモートコントローラーの制御方法としても観念することが可能である。つまり、第１実施形態においては、表示装置が、単独で表示を行う第１の表示モードと、他の表示装置と協働して表示を行う第２の表示モードとのいずれかを指定するモード指定ステップと、表示装置が、前記第２の表示モードにおいて表示する画像の位置に関する指定を行う位置指定ステップと、表示装置が、リモートコントローラーから送信される遠隔操作信号を受信する受信ステップと、表示装置が、前記受信ステップによって受信された遠隔操作信号と前記モード指定ステップ及び前記位置指定ステップによる指定内容とに応じた処理を実行する実行ステップとを有する表示装置の制御方法である。また、第２実施形態においては、リモートコントローラーが、１の表示装置が単独で表示を行う第１の表示モードと、複数の表示装置が協働して表示を行う第２の表示モードとのいずれかを指定するモード指定ステップと、リモートコントローラーが、前記モード指定ステップによって指定されたモードに応じた遠隔操作信号を前記表示装置に送信する送信ステップとを有するリモートコントローラーの制御方法である。
【００６７】
複数表示モードにおいて、プロジェクター１０によって表示される画像の表示領域の位置が右の場合には、リモートコントローラー２０においてそのプロジェクター１０を遠隔操作するための操作子の位置も右であったが、両者は、「右」又は「左」という位置の共通性に限らず、対応していればよい。例えば、プロジェクター１０Ａによって表示される画像の表示領域の位置が右の場合に、リモートコントローラー２０においてそのプロジェクター１０Ａを遠隔操作するための操作子の位置が上側にあり、プロジェクター１０Ｂによって表示される画像の表示領域の位置が左の場合に、リモートコントローラー２０においてそのプロジェクター１０Ｂを遠隔操作するための操作子の位置が下側であってもよい。要するに、ユーザーから見て、プロジェクター１０によって表示される画像の表示領域の位置と、リモートコントローラー２０においてそのプロジェクター１０を遠隔操作するための操作子の位置とが対応しているということが容易に分かればよい。
【００６８】
画像の位置指定は、右又は左というような方向による指定ではなく、例えば２次元座標における座標値による指定などであってもよい。要するに、複数のプロジェクター１０によって表示される各画像の相対的な位置関係が分かるような指定であればよい。
【００６９】
第２の表示モードにおいて、１のプロジェクター１０によって表示される画像の表示領域の面積が他のプロジェクター１０によって表示される画像の表示領域の面積より大きい場合に、リモートコントローラー２０において上記１のプロジェクター１０を操作するための操作子が上記他のプロジェクター１０を操作するための操作子より多く備わるようにしてもよい。例えば、３台のプロジェクター１０がタイリング投射を行う場合に、第１のプロジェクター１０によって投写される画像の面積、第２のプロジェクター１０によって投写される画像の面積、第３のプロジェクター１０によって投写される画像の面積の比が２：１：１の場合に、第１のプロジェクター１０を遠隔操作するためのキーの数、第２のプロジェクター１０を遠隔操作するためのキーの数、第３のプロジェクター１０を遠隔操作するためのキーの数の比が２：１：１となるようにする。画像の面積が大きいほどその画像が目立つので、その画像に対する遠隔操作の種類が多い場合に、このような方法が有効である。
【００７０】
プロジェクター１０のＣＰＵ１１は、リモートコントローラー２０において自プロジェクターを操作するためのキーを案内するための画像を表示してもよい。具体的には、ＣＰＵ１１は、画像信号供給装置から供給される画像信号が示す画像に重畳して、自プロジェクターを操作するためのキーがリモートコントローラー上のどこにあるかを示す模式的な画像を表示する。これにより、ユーザーは、画像を表示するプロジェクター１０を遠隔操作するためのキーを視覚的に知ることが可能となる。
【００７１】
上述した各実施形態では、プロジェクター１０の遠隔操作について説明したが、プロジェクター１０以外の表示装置の遠隔操作に使用されてもよい。このような表示装置として、フロントプロジェクション型のプロジェクターに限られず、例えばリアプロジェクション型のプロジェクターや液晶ディスプレイ等のモニター直視型の表示装置がある。
【符号の説明】
【００７２】
１…プロジェクターシステム、１０，１０Ａ，１０Ｂ…プロジェクター、１１…ＣＰＵ、１２…ＲＯＭ、１３…ＲＡＭ、１４…本体操作部、１５…信号受信部、１６…画像処理部、１７…投写部、１８…カメラ部、１９…通信部、１１０…モード指定手段、１２０…位置指定手段、１３０…受信手段、１４０…実行手段、１４１…記憶手段、２０…リモートコントローラー、２１…制御部、２２…リモコン操作部、２３…信号送信部、２１０…モード指定手段、２２０…送信手段、２２１…記憶手段、３０…スクリーン、４０…画像信号供給装置
【図１】
2018019252.tif 000003
【図２】
2018019252.tif 000004
【図３】
2018019252.tif 000005
【図４】
2018019252.tif 000006
【図５】
2018019252.tif 000007
【図６】
2018019252.tif 000008
【図７】
2018019252.tif 000009
【図８】
2018019252.tif 000010
【図９】
2018019252.tif 000011
【図１０】
2018019252.tif 000012
【図１１】
2018019252.tif 000013
【図１２】
2018019252.tif 000014
【図１３】
2018019252.tif 000015